(57)【要約】【課題】構成を簡素化して低コスト化、小型化を図るとともに、組み立て時の作業性を向上する上で有利なトレー機構および光ディスク装置を提供する。【解決手段】トレー１０はトレー本体１２と、該トレー本体１２に取着されるトレーベース１４と、該トレーベース１４に取着されるトレー蓋１６とを備えている。弾性変形可能な細長形状のばね部１４１０がトレーベース１４と一体に設けられている。トレー蓋１６に突設された係合部１６０８がばね部１４１０の細長形状部１４１０Ｂに係合した状態で、ばね部１４１０はトレー蓋１６とトレーベース１４とを近づける方向に付勢する。トレー本体１２が筐体１３０の内部に引込まれると、トレー蓋１６はばね部１４１０の付勢力によりトレーベース１４に近接する方向に付勢されるため、トレー蓋１６と底面１３３とが隙間なく接触した状態に保持され、開口部１３９が確実に閉塞される。【選択図】        図１１
2004259316.tif 000002
【特許請求の範囲】
【請求項１】
筐体に設けられた細長形状の開口部を介して該筐体の内部と外部にわたって出没可能に設けられトレー本体と、
前記トレー本体の前端に取着され前記開口部に対応した細長形状のトレーベースと、
前記トレーベースに前記トレー本体の前記出没する方向に移動可能に取着され前記トレー本体が前記筐体内に引込まれた状態で前記開口部を覆うとともに該開口部の周囲の筐体箇所に当接する細長形状のトレー蓋とを備え、
前記トレーベースにはばね部がトレーベースと一体に設けられ、
前記ばね部は、前記トレーベースから突出する基部と、前記基部に連結され前記トレーベースの長手方向に細長形状を呈して延在しこの延在方向と直交する方向に弾性変形可能な細長形状部とで構成され、
前記トレー蓋には前記細長形状部と係合する係合部が設けられ、
前記トレーベースと前記トレー蓋とは、前記細長形状部と前記係合部とが係合されることにより前記トレー蓋と前記トレーベースとが互いに近接する方向に付勢された状態で取着されている、
ことを特徴とするトレー機構。
【請求項２】
前記ばね部は前記トレーベースの長手方向の両側部にそれぞれ設けられ、前記係合部は前記トレー蓋の長手方向の両側部にそれぞれ設けられていることを特徴とする請求項１記載のトレー機構。
【請求項３】
前記細長形状部の前記基部とは反対側の端部は前記トレーベースから離れた自由端に形成されていることを特徴とする請求項１記載のトレー機構。
【請求項４】
前記トレー蓋には、前記細長形状部に係合する前記係合部が前記トレーベース方向に突出して設けられていることを特徴とする請求項１記載のトレー機構。
【請求項５】
前記トレー蓋には、前記トレーベース方向に突出する案内軸が設けられ、前記トレーベースには前記案内軸がスライド可能に結合される案内孔が設けられていることを特徴とする請求項１記載のトレー機構。
【請求項６】
前記トレー蓋には、前記トレーベース方向に突出する係合爪が設けられ、前記トレーベースには前記係合爪に係脱可能な係合部が設けられ、前記トレー蓋と前記トレーベースとが相対的に離れた際に前記係合爪と係合部が係合しそれ以上の離れる方向の動きが規制されることを特徴とする請求項１記載のトレー機構。
【請求項７】
前記トレー蓋およびトレーベースは共に合成樹脂製であることを特徴とする請求項１記載のトレー機構。
【請求項８】
光ディスクを回転駆動する駆動手段と、
前記駆動手段によって回転駆動する光ディスクに対し光を照射し前記光ディスクからの反射光を検出する光ヘッドと、
前記駆動手段および光ヘッドを収容する筐体とを有し、
前記筐体の内部と外部にわたって前記光ディスクの出し入れを行なうトレー機構を設けた光ディスク装置において、
前記トレー機構は、
前記筐体に設けられた細長形状の開口部を介して該筐体の内部と外部にわたって出没可能に設けられ光ディスクが載置されるトレー本体と、
前記トレー本体の前端に取着され前記開口部に対応した細長形状のトレーベースと、
前記トレーベースに前記トレー本体の前記出没する方向に移動可能に取着され前記トレー本体が前記筐体内に引込まれた状態で前記開口部を覆うとともに該開口部の周囲の筐体箇所に当接する細長形状のトレー蓋とを備え、
前記トレーベースにはばね部がトレーベースと一体に設けられ、
前記ばね部は、前記トレーベースから突出する基部と、前記基部に連結され前記トレーベースの長手方向に細長形状を呈して延在しこの延在方向と直交する方向に弾性変形可能な細長形状部とで構成され、
前記トレー蓋には前記細長形状部と係合する係合部が設けられ、
前記トレーベースと前記トレー蓋とは、前記細長形状部と前記係合部とが係合されることにより前記トレー蓋と前記トレーベースとが互いに近接する方向に付勢された状態で取着されている、
ことを特徴とする光ディスク装置。
【請求項９】
前記ばね部は前記トレーベースの長手方向の両側部にそれぞれ設けられ、前記係合部は前記トレー蓋の長手方向の両側部にそれぞれ設けられていることを特徴とする請求項８記載の光ディスク装置。
【請求項１０】
前記細長形状部の前記基部とは反対側の端部は前記トレーベースから離れた自由端に形成されていることを特徴とする請求項８記載の光ディスク装置。
【請求項１１】
前記トレー蓋には、前記細長形状部に係合する前記係合部が前記トレーベース方向に突出して設けられていることを特徴とする請求項８記載の光ディスク装置。
【請求項１２】
前記トレー蓋には、前記トレーベース方向に突出する案内軸が設けられ、前記トレーベースには前記案内軸がスライド可能に結合される案内孔が設けられていることを特徴とする請求項８記載の光ディスク装置。
【請求項１３】
前記トレー蓋には、前記トレーベース方向に突出する係合爪が設けられ、前記トレーベースには前記係合爪に係脱可能な係合部が設けられ、前記トレー蓋と前記トレーベースとが相対的に離れた際に前記係合爪と係合部が係合しそれ以上の離れる方向の動きが規制されることを特徴とする請求項８記載の光ディスク装置。
【請求項１４】
前記トレー蓋およびトレーベースは共に合成樹脂製であることを特徴とする請求項８記載のトレー機構。
【発明の詳細な説明】
【０００１】
【発明の属する技術分野】
本発明はトレー機構および光ディスク装置に関する。
【０００２】
【従来の技術】
光ディスク装置には、一般に、光ディスクを載置するトレーが、筐体の開口部を通して筐体の内部と外部にわたって出没可能に設けられている。トレーは、光ディスクを載置するためのトレー本体と、該トレー本体の前部に設けられたトレー蓋とを備えている。そして、トレー本体が筐体内に引込まれた状態で、トレー蓋で筐体の開口部を覆うようにしている。
このような光ディスク装置においては、前記トレー蓋と開口部との間から、塵埃が筐体の内部へ侵入したり、筐体内の音が筐体外部に漏れることが考えられる。
そこで、このような事態を防止するため、トレー本体が筐体内に引込まれた状態で、トレー蓋で筐体の開口部を覆うとともにトレー蓋を開口部の周囲の筐体箇所に当接させ、トレー蓋を前記引込方向に付勢した構成が提供されている（特許文献１）。
この構成によれば、トレー本体が筐体内に引込まれたときにトレー蓋が筐体に当接する方向に付勢されるため、この付勢力によりトレー蓋による開口部の閉塞状態が保持されることになる。
【０００３】
【特許文献１】
実開平３−１１５９３９号公報
【０００４】
【発明が解決しようとする課題】
しかしながら上述の構成では、トレー蓋を引込方向に付勢するためにコイルばねや該コイルばねを保持するための専用部材が、トレー本体やトレー蓋とは別に新たに必要となり、構成が複雑となり、低コスト化や小型化を図る上で不利であった。
また、コイルばねと専用部材をトレー本体やトレー蓋に取り付ける作業が煩雑となり、簡単に組み立てることができない不具合があった。
本発明は、このような事情に鑑みてなされ、その目的とするところは、構成を簡素化して低コスト化、小型化を図るとともに、組み立て時の作業性を向上する上で有利なトレー機構および光ディスク装置を提供することにある。
【０００５】
【課題を解決するための手段】
本発明のトレー機構は、前記目的を達成するため、筐体に設けられた細長形状の開口部を介して該筐体の内部と外部にわたって出没可能に設けられトレー本体と、前記トレー本体の前端に取着され前記開口部に対応した細長形状のトレーベースと、前記トレーベースに前記トレー本体の前記出没する方向に移動可能に取着され前記トレー本体が前記筐体内に引込まれた状態で前記開口部を覆うとともに該開口部の周囲の筐体箇所に当接する細長形状のトレー蓋とを備え、前記トレーベースにはばね部がトレーベースと一体に設けられ、前記ばね部は、前記トレーベースから突出する基部と、前記基部に連結され前記トレーベースの長手方向に細長形状を呈して延在しこの延在方向と直交する方向に弾性変形可能な細長形状部とで構成され、前記トレー蓋には前記細長形状部と係合する係合部が設けられ、前記トレーベースと前記トレー蓋とは、前記細長形状部と前記係合部とが係合されることにより前記トレー蓋と前記トレーベースとが互いに近接する方向に付勢された状態で取着されていることを特徴とする。
また、本発明の光ディスク装置は、光ディスクを回転駆動する駆動手段と、前記駆動手段によって回転駆動する光ディスクに対し光を照射し前記光ディスクからの反射光を検出する光ヘッドと、前記駆動手段および光ヘッドを収容する筐体とを有し、前記筐体の内部と外部にわたって前記光ディスクの出し入れを行なうトレー機構を設けた光ディスク装置において、前記トレー機構は、前記筐体に設けられた細長形状の開口部を介して該筐体の内部と外部にわたって出没可能に設けられ光ディスクが載置されるトレー本体と、前記トレー本体の前端に取着され前記開口部に対応した細長形状のトレーベースと、前記トレーベースに前記トレー本体の前記出没する方向に移動可能に取着され前記トレー本体が前記筐体内に引込まれた状態で前記開口部を覆うとともに該開口部の周囲の筐体箇所に当接する細長形状のトレー蓋とを備え、前記トレーベースにはばね部がトレーベースと一体に設けられ、前記ばね部は、前記トレーベースから突出する基部と、前記基部に連結され前記トレーベースの長手方向に細長形状を呈して延在しこの延在方向と直交する方向に弾性変形可能な細長形状部とで構成され、前記トレー蓋には前記細長形状部と係合する係合部が設けられ、前記トレーベースと前記トレー蓋とは、前記細長形状部と前記係合部とが係合されることにより前記トレー蓋と前記トレーベースとが互いに近接する方向に付勢された状態で取着されていることを特徴とする。
そのため、本発明によれば、トレーベースに一体に設けたばね部の細長形状部と、トレー蓋の係合部とが係合されることによりトレー蓋とトレーベースとが互いに近接する方向に付勢された状態で取着されるため、トレー機構および光ディスク装置を簡素な構成で実現できる。
【０００６】
【発明の実施の形態】
以下、本発明によるトレー機構および光ディスク装置の実施の形態を図面に基づいて詳細に説明する。
図１は、本発明の第１の実施の形態における光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、トレー１０、トレー駆動手段２２、制御部１２４などを備えて構成されている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００７】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、前記トレー１０の突出や引込の操作を行なうための操作ボタンなどを有して構成されている。
前記表示手段１１６は、前記光ディスク装置１００の動作状態を表示するためのものであり、ＬＥＤランプや文字表示器などを有して構成されている。
前記トレー１０は、光ディスク装置１００の筐体の外部と内部の間で光ディスク１０１の受け渡しを行なうように構成されている。
前記トレー駆動手段２２は、前記トレー１０を突出方向および引込方向に駆動するように構成されている。
前記制御部１２６は、上述したスピンドルモータ１０２、サーボ制御部１０８、信号処理部１１０、インターフェース部１１２、操作部１１４、表示部１１６、トレー駆動手段２２などの制御を司るものである。
なお、本実施の形態では前記光ディスク装置が記録および再生の双方の動作を行なうものとして説明するが、本発明は前記光ディスク装置が記録および再生の少なくとも一方を行なうように構成されたものであればよい。
【０００８】
図２は本発明の実施の形態における光ディスク装置のトレーが収容された状態を示す斜視図、図３はトレーが突出された状態を示す斜視図である。
図２に示すように、光ディスク装置１００は、高さと、左右方向の幅と、前後方向の長さを有する矩形板状の筐体１３０を有している。
前記筐体１３０の前部には、矩形状の前面１３２と、前記前面１３２の上方でかつ後方に位置し斜め上方に向いた矩形状の傾斜面１３４と、前面１３２の上縁と傾斜面１３２の下縁を接続し上方に向いた上面１３６とが形成されている。
前記前面１３２の上部で左右方向の中央箇所には、高さよりも大きな寸法の幅を有する細長形状の凹部１３８が設けられている。
前記凹部１３８は、前記前面１３２よりも後方に位置し前記前面１３２と平行する底面１３３を有し、前記底面１３３には、前記凹部１３８の外縁よりも一回り小さな細長形状の開口部１３９が設けられている。
前記上面１３６には、複数の操作ボタン１４０が左右方向に並べて設けられており、これら操作ボタン１４０は、この光ディスク装置１００の電源のオンオフを行なう電源スイッチ、前記トレー駆動手段２２によるトレー１０の突出動作および引込動作を指示するためのトレー操作ボタン、光ディスクに対する記録、再生、早送り、早戻しなどを指示するための各種操作ボタンなどを含んで構成され、前記操作手段１１４を構成している。
前記傾斜面１３４には、文字や記号などを表示する表示器１４２、動作状態や操作状態を表示するＬＥＤランプ１４４などが配置され、これらは前記表示手段１１６を構成している。
【０００９】
図３に示すように、前記トレー１０は、光ディスクが載置される矩形板状のトレー本体１２と、該トレー本体１２の前端に着脱可能に取着されるトレーベース１４と、該トレーベース１４の前面に着脱可能に取着されるトレー蓋１６とを備えている。
以下、トレー本体１２、トレーベース１４、トレー蓋１６について説明する。
図４はトレー本体の前部を前方から見た斜視図、図５はトレーベースとトレー蓋の分解斜視図、図６は図５のＡ部拡大図、図７はトレーベースとトレー蓋とを組み立てた状態の斜視図、図８は図７のＢ部拡大図、図９はトレー蓋とトレーベースの断面平面図、図１０（Ａ）、（Ｂ）はトレー蓋とトレーベースの断面側面図、図１１（Ａ）はトレーが突出した状態を示す説明図、（Ｂ）はトレーが引込まれた状態を示す説明図である。
【００１０】
前記トレー本体１２は、前記開口部１３９を介して該筐体１３０の内部と外部にわたって出没可能に設けられている。
図４に示すように、前記トレー本体１２の上部中央には前記光ディスクが載置される円形の凹部１２０２が設けられ、前記トレー本体１２の前面１２０４には左右方向に延在する板状部１２０６が膨出され、該板状部１２０６の前部には左右方向に間隔をおいて３つの矩形板１２０８が設けられている。
前記矩形板１２０８の上端面はトレイ本体１２の上端面よりも低く形成され、板状部１２０６の上端面は矩形板１２０８の上端面よりも低く形成されている。
また、３つの矩形板の間の板状部１２０６部分は、図１０（Ｂ）に示すように係合凸部１２１０として形成されている。
また、図９に示すように、前記矩形板１２０８の左右端面は板状部１２０６の左右端面よりも外方に突出するように設けられ、トレイ本体１２の前面１２０４の左右両側においてトレイ本体１２の前面１２０４と矩形板１２０８の後面により側方に開放状の係合溝１２１２が形成されている。
【００１１】
前記トレーベース１４は、合成樹脂から構成され、図５、図６に示すように、上基板１４０２と前基板１４０４により断面がＬ字状を呈して前記開口部１３９の長手方向に延在している。
前記上基板１４０２および前基板１４０４の長手方向の両端はそれぞれ側板１４０６で連結され、これら側板１４０６の後部には、図１０（Ａ）、（Ｂ）に示すように、上基板１４０２の後端がトレー本体１２の前面１２０４に当接した状態で、図９に示すように、前記係合溝１２１２に係合する係合片１４０８が設けられている。
前記上基板１４０２の下面で長手方向の両側部にはばね部１４１０がそれぞれ設けられている。
前記ばね部１４１０は例えばモールド成形などによって前記トレーベース１４と一体に設けられている。
前記ばね部１４１０は、前記上基板１４０２から下方に突出する基部１４１０Ａと、前記基部１４１０に連結され上基板１４０２の長手方向に細長形状を呈して延在しこの延在方向と直交する方向に弾性変形可能な細長形状部１４１０Ｂとで構成され、全体としてＬ字状を呈している。本実施の形態では、前記細長形状部１４１０Ｂの基部１４１０Ａとは反対側の端部はトレーベース１４から離れた自由端１４１２として形成されている。
前記細長形状部１４１０Ｂは、前記トレー本体１２の前記出没する方向に変形することで前記出没する方向に弾性力を発揮するように構成されている。より詳細には、前記細長形状部１４１０Ｂは、その延在方向と直交する何れの方向にも弾性変形し弾性力を発揮するように構成されている。
前記細長形状部１４１０Ｂの自由端１４１２には凸部１４１３が形成され、細長形状部１４１０Ｂの自由端１４１２に対応する前記前基板１４０４箇所には切欠１４１４が形成されている。
【００１２】
前記上基板１４０２の下面で前記切欠１４１４よりも外側の箇所にはそれぞれ係合爪１４１６が下方に突設されている。前記係合爪１４１６は、図１０（Ｂ）に示すように、上基板１４０２の後端がトレー本体１２の前面１２０４に当接した状態で前記係合凸部１２１０に係合するように構成されている。
前記前基板１４０４の前記係合爪１４１６よりも両外側の箇所には開口１４１８がそれぞれ設けられ、開口１４１８の縁部には係合部１４２０がそれぞれ形成されている。
前記前基板１４０４の前記係合部１４２０よりも両外側の箇所には、案内孔１４２２がそれぞれ形成されている。
【００１３】
前記トレー蓋１６は、合成樹脂から構成され、図５、図７に示すように、前記開口部１３９の長手方向に延在する正面板１６０２と、この正面板１６０２の上下の縁に設けられた上板１６０４Ａおよび下板１６０４Ｂと、正面板１６０２の左右の縁に設けられた左右の側板１６０４Ｃとを備えている。これら上板１６０４Ａ、下板１６０４Ｂ、左右の側板１６０４Ｃの後端は、トレー蓋１６による開口部１３９の閉塞時に、開口部１３９の周囲の底面１３３に当接するように構成されている。
前記正面板１６０２の背面の長手方向の両側部には係合部１６０８がそれぞれ突設され、図１１（Ａ）に示すように、正面板１６０２の背面とトレーベース１４の前基板１４０４の前面を合わせた際に、前記係合部１６０８は、図８に示すように、前記開口１４１４からトレーベース１４の前基板１４０４を貫通して前基板１４０４の背面に至り前記細長形状部１４１０Ｂの自由端１４１２に係合するように構成され、このように係合した状態で前記凸部１４１３が係合部１６０８に係合することで細長形状部１４１０Ｂと係合部１６０８との係合が外れにくいようになっている。なお、正面板１６０２の背面とトレーベース１４の前基板１４０４の前面を合わせ、前記係合部１６０８を細長形状部１４１０Ｂの自由端１４１２に係合した状態で、細長形状部１４１０Ｂは正面板１６０２と前木番１４０４とを合わせる方向に弾性変形しており、トレー蓋１６の正面板１６０２とトレーベース１４の前基板１４０４とを近づける方向に付勢している。
【００１４】
また、前記正面板１６０２の背面で前記両係合部１６０８の外側の箇所には、それぞれ係合爪１６１０が突設されている。この係合爪１６１０は、図１１（Ａ）に示すように、正面板１６０２の背面とトレーベース１４の前基板１４０４の前面を合わせた際に、図８に示すように、前記開口１４１４からトレーベース１４の前基板１４０４を貫通して前基板１４０２の背面側に至り、前記係合部１４２０から離れた箇所で係合部１４２０に臨んだ箇所に位置する。そして、前記トレー蓋１６と前記トレーベース１４とが相対的に離れる方向に所定の距離移動すると前記係合爪１６１０と前記係合部１４２０とが係合するように構成され、このように前記係合爪１６１０と前記係合部１４２０とが係合することでそれ以上の離れる方向の動きが規制されるように構成されている。
また、前記正面板１６０２の背面で前記両係合爪１６１０の外側の箇所にはそれぞれ案内軸１６１２が突設され、前記案内軸１６１２は、図８に示すように、前記トレーベース１４の案内孔１４２２にスライド可能に結合されるように構成されている。
【００１５】
次に、前記トレー１０の組立てについて説明する。
まず、図７、図８に示すように、前記トレーベース１４と前記トレー蓋１６を取り付ける。
すなわち、前記トレーベース１４の前基板１４０４の前面に前記トレー蓋１６の正面板１６０２の背面を臨ませ、前記各案内孔１４２２に前記各案内軸１６１２を挿入し、前記各開口１４１８に前記係合爪１６１０を挿入し、前記各切欠１４１４に前記係合部１６０８を挿入する。
そして、前記各開口１４１８に前記係合爪１６１０を挿入することで、前記係合爪１６１０が前記係合部１４２０に係脱可能に臨み、前記係合爪１６１０と前記係合部１４２０が係合することにより、前記トレーベース１４の前基板１４０４の前面と前記トレー蓋１６の正面板１６０２の背面とが合わされた状態から前記トレー蓋１６と前記トレーベース１４とが所定の距離以上に離れる方向の動きが規制される。
また、前記細長形状部１４１０Ｂを変形させ、前記係合部１６０８を前記細長形状部１４１０Ｂの自由端１４１２に係合させる。この場合、細長形状部１４１０Ｂはその長手方向と直交する何れの方向にも弾性変形可能であるので、指先などで係合部１６０８を細長形状部１４１０Ｂに簡単に係合させることができる。これにより、前記トレー蓋１６と前記トレーベース１４とが互いに近接する方向に付勢される。本実施の形態では、このようにばね部１４１０により付勢されることで、トレーベース１４の前基板１４０４とトレー蓋１６の正面板１６０２の背面とが当接した状態に保持される。
【００１６】
このように前記トレーベース１４とトレー蓋１６が組付けられたならば、次に、図９、図１０に示すように、前記トレーベース１４およびトレー蓋１６を前記トレー本体１２に取り付ける。
すなわち、前記トレー本体１２の前面１２０４の左右両側の係合溝１２１２に前記各係合片１４０８を挿入しつつトレーベース１４を下方に押込み、前記トレー本体１２の矩形板１２０８の前面にトレーベース１４の前基板１４０４の背面を臨ませる。
前記各係合溝１２１２に前記各係合片１４０８が係合することで、前記トレー本体１２に対する前記トレーベース１４の幅方向および前後方向の動きが規制される。
また、図１０（Ａ）に示すように、トレーベース１４の前記上板１４０２の下面が前記矩形板１２０８の上端面に当接し、かつ、図１０（Ｂ）に示すように、前記係合爪１４１６が前記係合凸部１２１０の下面に係合することで、前記トレー本体１２に対する前記トレーベース１４の上下方向の動きが規制される。
これらにより、前記トレーベース１４は前記トレー本体１２に対してがたつくことなく安定した状態で取着される。
【００１７】
次に、上述のように構成されたトレー機構の動きについて図１１を参照して説明する。
図１１（Ａ）に示すように、前記トレー１０が突出された状態では、前記トレー蓋１６の正面板１６０２は、前記ばね部１４１０の付勢力によって前記トレーベース１４の前基板１４０４に当接した状態となっている。
前記トレー１０上に光ディスクが載置され、前記トレー操作ボタンによって引込動作の操作がなされると、図１１（Ｂ）に示すように、トレー本体１２が筐体１３０の内部に引込まれ、前記トレー蓋１６の上板１６０４Ａ、下板１６０４Ｂ、両側板１６０４Ｃの後端面が前記底面１３３に当接し、トレー蓋１６により筐体１３０の開口部１３９が塞がれる。
前記トレー本体１２は、前記上板１６０４Ａ、下板１６０４Ｂ、各側板１６０４Ｃの各後端面が底面１３３に当接した状態の前記トレー蓋１６から筐体１３０側に所定距離離されて停止する。
この状態で、前記トレー蓋１６は前記ばね部１４１０の付勢力により前記トレーベース１４に近接する方向に付勢されるため、前記トレー蓋１６の上板１６０４Ａ、下板１６０４Ｂ、両側板１６０４Ｃの後端面と前記底面１３３とが隙間なく接触した状態に保持され、開口部１３９が確実に閉塞される。
これにより、前記トレー蓋１６と開口部１３９との隙間から塵埃が筐体１３０内部に入ることや前記隙間から筐体１３０内の音が筐体１３０外部に漏れることが防止される。
【００１８】
以上説明したように、本実施の形態によれば、トレーベース１４に一体に設けたばね部１４１０の細長形状部１４１０Ｂと、トレー蓋１６の係合部１６０８とが係合されることによりトレー蓋１６とトレーベース１４とが互いに近接する方向に付勢された状態で取着されるようにした。
したがって、トレー本体１２が筐体１３０内に引込まれたときにトレー蓋１６と筐体１３０の底面１３３とを確実に閉塞することができるトレー機構および光ディスク装置を従来よりも簡素な構成で実現でき、組み立てを容易化するとともに、低コスト化や小型化を図る上で極めて有利となる。
なお、前記の実施の形態では、本発明を光ディスク装置に適用した場合について説明したが、トレイを扱う光ディスク装置以外のその他の機器にも本発明は無論適用される。
【００１９】
【発明の効果】
以上説明したように本発明によれば、構成を簡素化して低コスト化、小型化を図るとともに、組み立て時の作業性を向上する上で有利なトレー機構および光ディスク装置を提供することができる。
【図面の簡単な説明】
【図１】本発明の第１の実施の形態における光ディスク装置の構成を示すブロック図である。
【図２】本発明の実施の形態における光ディスク装置のトレーが収容された状態を示す斜視図である。
【図３】トレーが突出された状態を示す斜視図である。
【図４】トレー本体の前部を前方から見た斜視図である。
【図５】トレーベースとトレー蓋の分解斜視図である。
【図６】図５のＡ部拡大図である。
【図７】トレーベースとトレー蓋とを組み立てた状態の斜視図である。
【図８】図７のＢ部拡大図である。
【図９】トレー蓋とトレーベースの断面平面図である。
【図１０】（Ａ）、（Ｂ）はトレー蓋とトレーベースの断面側面図である。
【図１１】（Ａ）はトレーが突出した状態を示す説明図、（Ｂ）はトレーが引込まれた状態を示す説明図である。
【符号の説明】
１０……トレー、１２……トレー本体、１４……トレーベース、１６……トレー蓋、１４１０……ばね部、１６０８……係合部、１００……光ディスク装置、１３０……筐体、１３３……底面、１３９……開口部。
【図１】
2004259316.tif 000003
【図２】
2004259316.tif 000004
【図３】
2004259316.tif 000005
【図４】
2004259316.tif 000006
【図５】
2004259316.tif 000007
【図６】
2004259316.tif 000008
【図７】
2004259316.tif 000009
【図８】
2004259316.tif 000010
【図９】
2004259316.tif 000011
【図１０】
2004259316.tif 000012
【図１１】
2004259316.tif 000013